(57)【要約】  マルチカラー静的マルチビューディスプレイ及びマルチカラー静的マルチビューディスプレイの動作方法は、回折格子を使用して、選択可能色を含み、かつそれぞれの半径方向が異なっている導波光ビームからの光を回折的に散乱させることで、静的カラー・マルチビュー画像を供給する。本マルチカラー静的マルチビューディスプレイは、複数の導波光ビームを導波するように構成された光ガイドと、選択可能色を含み、かつそれぞれの半径方向が異なっている複数の導波光ビームを供給するように構成された、マルチカラー光源とを備える。本マルチカラー静的マルチビューディスプレイは、導波光ビームの一部から、静的カラー・マルチビュー画像のカラービューピクセルに対応している色、強度及び主要角度方向を有する指向性光ビームを供給するように構成された、複数の回折格子をさらに備える。
2020535474.tif 000002
【特許請求の範囲】
【請求項１】
光ビームを導波するように構成された光ガイドと、
前記光ガイド上の入力位置にあるマルチカラー光源であって、前記マルチカラー光源が、選択可能色を含み、かつそれぞれの半径方向が互いに異なっている複数の導波光ビームを、前記光ガイド内に供給するように構成されている、マルチカラー光源と、
カラー静的マルチビュー画像を表示する指向性光ビームを出射するように構成された複数の回折格子であって、前記回折格子がそれぞれ、複数の前記導波光ビームのうちの１つの導波光ビームの一部から、前記静的カラー・マルチビュー画像のカラービューピクセルに対応している色、強度及び主要角度方向を有する指向性光ビームを供給するように構成されている、回折格子と
を備える、マルチカラー静的マルチビューディスプレイ。
【請求項２】
前記マルチカラー光源の前記入力位置が、前記光ガイドの側部上において、その中心付近にある、請求項１に記載のマルチカラー静的マルチビューディスプレイ。
【請求項３】
前記マルチカラー光源が、さまざまな色の光を供給するように構成された複数のカラー発光体を含み、前記さまざまな色の光が有する第１の色を供給するように構成された、複数の前記カラー発光体のうちのカラー発光体それぞれを、前記さまざまな色の光が有する第２の色を供給するように構成された発光体と、前記マルチカラー光源の範囲内で交互に配置しており、また、前記選択可能色が、前記さまざまな色の光を組み合わせたものを含む、請求項１に記載のマルチカラー静的マルチビューディスプレイ。
【請求項４】
前記複数のカラー発光体が、赤色発光ダイオード、緑色発光ダイオード、及び青色発光ダイオードを含み、前記さまざまな色の光を赤色光、緑色光、及び青色光としており、
前記選択可能色が、赤色発光ダイオード、緑色発光ダイオード、及び青色発光ダイオードの相対発光強度によって制御される赤色光、緑色光及び青色光を組み合わせたものである、請求項３に記載のマルチカラー静的マルチビューディスプレイ。
【請求項５】
前記回折格子の格子特性が、前記強度及び前記主要角度方向を決定するように構成されており、前記格子特性が、前記光ガイドの表面上における前記回折格子の位置と、前記光ガイドの側部にある前記マルチカラー光源の前記入力位置との両方の関数である、請求項１に記載のマルチカラー静的マルチビューディスプレイ。
【請求項６】
前記格子特性が、前記回折格子の格子ピッチ及び前記回折格子の格子方位の一方若しくは両方を含み、前記回折格子が供給する前記指向性光ビームの前記主要角度方向を決定するように、前記格子特性が構成されている、請求項５に記載のマルチカラー静的マルチビューディスプレイ。
【請求項７】
前記格子特性が、前記回折格子が供給する前記指向性光ビームの前記強度を決定するように構成された格子深さを含む、請求項５に記載のマルチカラー静的マルチビューディスプレイ。
【請求項８】
前記光ガイドの光ビーム出射面とは反対側の前記光ガイドの表面に、前記複数の回折格子を配置している、請求項１に記載のマルチカラー静的マルチビューディスプレイ。
【請求項９】
前記光源と前記光ガイドとの間にコリメータをさらに備え、前記コリメータが、前記光源が出射する光を平行化するように構成されており、前記複数の導波光ビームが平行光ビームを含む、請求項１に記載のマルチカラー静的マルチビューディスプレイ。
【請求項１０】
前記光ガイド上の横方向にオフセットさせた別の入力位置に別のマルチカラー光源をさらに備え、前記別のマルチカラー光源が、複数の別の導波光ビームを供給するように構成されており、前記複数の導波光ビーム及び前記複数の別の導波光ビームの半径方向が互いに異なっており、前記マルチカラー光源及び前記別のマルチカラー光源間で切り替えが、静的カラー・マルチビュー画像をアニメーション表示するように構成されており、前記マルチカラー静的マルチビューディスプレイを、準マルチカラー静的マルチビューディスプレイとしている、請求項１に記載のマルチカラー静的マルチビューディスプレイ。
【請求項１１】
前記光ガイドが、前記光ガイド内で前記複数の導波光ビームのうちの１つの導波光ビームの伝搬方向に直交している方向に伝搬する光に対して透過性である、請求項１に記載のマルチカラー静的マルチビューディスプレイ。
【請求項１２】
平板光ガイドと、
選択可能色を含み、かつそれぞれの半径方向が互いに異なっている複数の導波光ビームを前記平板光ガイド内に供給するように構成されたマルチカラー光源と、
静的カラー・マルチビュー画像の複数の異なるビューを供給するように構成されたマルチビューピクセルの配列であって、マルチビューピクセルが、前記複数の導波光ビームからの光を回折的に外部に結合させて、前記マルチビューピクセルのカラービューピクセルを表示する指向性光ビームを供給するように構成された複数の回折格子を含む、マルチビューピクセルの配列と
を備え、
前記複数の回折格子のうちの１つの回折格子が供給する指向性光ビームの主要角度方向を、格子特性の関数としており、前記格子特性を、前記回折格子及び前記光源の相対位置の関数としており、また、前記指向性光ビームの色が、前記選択可能色によって決まる、
マルチカラー静的マルチビューディスプレイ。
【請求項１３】
前記マルチカラー光源が、前記マルチカラー光源内で互いに交互に配置された複数の多色発光体を含み、前記選択可能色を、前記複数の多色発光体が供給するさまざまな色の光を組み合わせたものとしている、請求項１２に記載のマルチカラー静的マルチビューディスプレイ。
【請求項１４】
前記格子特性が、前記回折格子の格子ピッチ及び格子方位の一方若しくは両方を含む、請求項１２に記載のマルチカラー静的マルチビューディスプレイ。
【請求項１５】
前記回折格子によってもたらされ、該当するビューピクセルの強度に対応している前記指向性光ビームの強度が、前記回折格子の回折結合効率によって決まる、請求項１２に記載のマルチカラー静的マルチビューディスプレイ。
【請求項１６】
前記光ガイドが、前記光ガイド内で前記複数の導波光ビームのうちの１つの導波光ビームの伝搬方向に直交している方向に透過性である、請求項１２に記載のマルチカラー静的マルチビューディスプレイ。
【請求項１７】
マルチカラー静的マルチビューディスプレイの動作方法であって、前記方法が、
選択可能色を含む複数の導波光ビームを光ガイド内に導波するステップであって、前記複数の導波光ビームのうちの導波光ビームそれぞれが共通原点を有し、またそれらの半径方向が互いに異なっている、ステップと、
複数の回折格子を使用して、静的カラー・マルチビュー画像を表示する複数の指向性光ビームを出射するステップであって、前記複数の回折格子のうちの１つの回折格子が、前記複数の導波光ビームからの光を、前記静的カラー・マルチビュー画像の該当するビューピクセルの強度及び主要角度方向を有する、前記複数の指向性光ビームのうちの１つの指向性光ビームとして回折的に外部に結合させている、ステップとを含み、
前記出射された指向性光ビームの前記強度及び主要角度方向を、前記回折格子の格子特性によって制御しており、前記格子特性が、前記共通原点に対する前記回折格子の位置に基づいており、また、前記指向性光ビームの色が、前記選択可能色によって決まる、
方法。
【請求項１８】
マルチカラー光源内で互いに交互に配置された、複数の多色発光体を含む前記マルチカラー光源を使用して、前記複数の導波光ビームとして導波される光を供給するステップをさらに含み、前記マルチカラー光源を、前記光ガイドの側部に配置しており、前記マルチカラー光源の位置を、前記複数の導波光ビームの前記共通原点としている、請求項１７に記載のマルチカラー静的マルチビューディスプレイの動作方法。
【請求項１９】
前記選択可能色を生成するために、前記複数の多色発光体が供給する色の光を組み合わせるステップをさらに含み、前記色の光は、赤色光、青色光及び緑色光を含む、請求項１８に記載のマルチカラー静的マルチビューディスプレイの動作方法。
【請求項２０】
第１の時間中に複数の第１の導波光ビームを導波し、第２の期間における第２の時間中に複数の第２の導波光ビームを導波することにより、静的カラー・マルチビュー画像をアニメーション表示するステップをさらに含み、前記複数の第１の導波光ビームにおける共通原点は、前記複数の第２の導波光ビームにおける共通原点とは異なっており、また、前記アニメーション表示は、前記第１及び第２の時間中に、前記静的カラー・マルチビュー画像の見かけ上の位置を変位させることを含む、請求項１７に記載のマルチカラー静的マルチビューディスプレイの動作方法。
【発明の詳細な説明】
【技術分野】
【０００１】
関連出願の相互参照
適用なし
【０００２】
連邦政府資金による研究開発の記載
適用なし
【０００３】
本発明は、マルチカラー静的マルチビューディスプレイ及び方法に関する。
【背景技術】
【０００４】
ディスプレイ、より具体的には「電子」ディスプレイは、多種多様なデバイス及び製品のユーザに情報を伝達するための、ほぼ至る所にある媒体である。例えば、携帯電話（スマートフォンなど）、時計、タブレットコンピュータ、モバイルコンピュータ（ラップトップコンピュータなど）、パーソナルコンピュータ及びコンピュータモニタ、自動車用ディスプレイコンソール、カメラ用ディスプレイ、並びに他のさまざまなモバイルかつ実質的に非モバイルの表示アプリケーションや表示デバイスを含むが、これらに限定されないさまざまなデバイス及びアプリケーションで、電子ディスプレイを使用している可能性がある。電子ディスプレイでは一般に、ピクセル強度の差分パターンを使用して、通信中の画像又は類似の情報を提示若しくは表示している。パッシブ電子ディスプレイの場合と同じように、ディスプレイに入射する光を反射することにより、差分ピクセル強度パターンをもたらすことができる。又は、電子ディスプレイは光を供給又は出射して、差分ピクセル強度パターンをもたらすことができる。光を出射する電子ディスプレイを、多くの場合アクティブディスプレイと呼んでいる。
【発明の概要】
【０００５】
本明細書に記載の原理による実施例及び実施形態のさまざまな特徴は、添付の図面と併せて以下の詳細な説明を参照することにより、より容易に理解することができ、ここで同一の参照番号が同一の構造要素を示している。
【図面の簡単な説明】
【０００６】
【図１Ａ】本明細書に記載の原理と一致する一実施形態による、一例におけるマルチビューディスプレイの斜視図を示す。
【図１Ｂ】本明細書に記載の原理と一致する一実施形態による、一例におけるマルチビューディスプレイの視線方向に対応する特定の主要角度方向を有する、光ビームの角度成分を表すグラフ表示を示す。
【図２】本明細書に記載の原理と一致する一実施形態による、一例における回折格子の断面図を示す。
【図３Ａ】本明細書に記載の原理と一致する一実施形態による、一例におけるマルチカラー静的マルチビューディスプレイの平面図を示す。
【図３Ｂ】本明細書に記載の原理と一致する一実施形態による、一例におけるマルチカラー静的マルチビューディスプレイの一部を表す断面図を示す。
【図３Ｃ】本明細書に記載の原理と一致する一実施形態による、一例におけるマルチカラー静的マルチビューディスプレイの斜視図を示す。
【図４Ａ】本明細書に記載の原理と一致する一実施形態による、一例におけるマルチカラー光源を備えるマルチカラー静的マルチビューディスプレイの一部を表す平面図を示す。
【図４Ｂ】本明細書に記載の原理と一致する一実施形態による、一例におけるマルチカラー光源の断面図を示す。
【図５】本明細書に記載の原理と一致する一実施形態による、一例におけるマルチカラー静的マルチビューディスプレイの平面図を示す。
【図６Ａ】本明細書に記載の原理と一致する一実施形態による、一例におけるマルチビューディスプレイの平面図を示す。
【図６Ｂ】本明細書に記載の原理と一致する一実施形態による、別の例における図６Ａのマルチカラー静的マルチビューディスプレイを表す平面図を示す。
【図７Ａ】本明細書に記載の原理と一致する一実施形態による、一例におけるマルチビューディスプレイの回折格子の平面図を示す。
【図７Ｂ】本明細書に記載の原理と一致する別の実施形態による、一例においてマルチビューピクセルとして編成された回折格子のセットの平面図を示す。
【図８】本明細書に記載の原理と一致する一実施形態による、一例におけるマルチカラー静的マルチビューディスプレイのブロック図を示す。
【図９】本明細書に記載の原理と一致する一実施形態による、一例におけるマルチカラー静的マルチビューディスプレイの動作方法を表すフローチャートを示す。
【発明を実施するための形態】
【０００７】
特定の実施例及び実施形態は、上記の図に示した特徴に加えて、またその代わりとなる１つである他の特徴を有する。これら及び他の特徴については、上記の図を参照しながら以下で詳述する。
【０００８】
本明細書に記載する原理による実施例及び実施形態は、選択可能色を有する静的又は準静的三次元（３Ｄ）若しくはマルチビュー画像（即ち、「カラー」マルチビュー画像）のディスプレイを提供する。具体的には、記載している原理と一致する実施形態において、複数の指向性光ビームを使用して静的又は準静的カラー・マルチビュー画像を表示している。複数の指向性光ビームのうちの指向性光ビームそれぞれが有する色並びに個々の強度及び方向は、ここでは、表示しているマルチカラー・マルチビュー画像のビューにおいてさまざまなカラービューピクセルに対応している。さまざまな実施形態によれば、指向性光ビームの個々の強度と、いくつかの実施形態ではそれらの個々の方向とをあらかじめ設定又は「固定」している。そのため、表示されるカラー・マルチビュー画像を、静的又は準静的カラー・マルチビュー画像と呼ぶ場合がある。また、いくつかの実施形態によれば、カラー・マルチビュー画像の色を、時間の関数として選択可能とすることができる。
【０００９】
本明細書に記載しているように、静的又は準静的カラー・マルチビュー画像を表示するように構成された、マルチカラー静的マルチビューディスプレイは、個々の指向性光ビームの強度及び方向を有する指向性光ビームを供給する光ガイドに光学的に接続された、回折格子を備える。複数の導波光ビームとして導波される、光ガイド内から導波される光の回折結合又は回折散乱により、又はこれに応じて指向性光ビームを出射又は供給するように、回折格子が構成されている。さらに、複数の導波光ビームのうちの導波光ビームそれぞれは、互いに異なる半径方向に光ガイド内へと導波されている。そのため、複数の回折格子のうちの１つの回折格子は、回折格子に入射する導波光ビームの特定の半径方向を考慮するか、又はその半径方向の関数である格子特性を含む。具体的には格子特性を、回折格子と、導波光ビームを供給するように構成された光源との相対位置の関数とすることができる。さまざまな実施形態によれば、回折格子が供給する指向性出射光ビームを、表示中の静的又は準静的カラー・マルチビュー画像のさまざまなビューにおいて関連ビューピクセルと確実に対応させるために、導波光ビームの半径方向を考慮するように、格子特性が構成されている。
【００１０】
本明細書では、「マルチビューディスプレイ」を、さまざまな視線方向でさまざまなマルチビュー画像のビューを供給するように構成された、電子ディスプレイ又は電子ディスプレイシステムと定義している。「静的マルチビューディスプレイ」を、複数の異なるビューであっても、所定の又は固定の（すなわち、静的）マルチビュー画像を表示するように構成されたマルチビューディスプレイと定義している。本明細書では、「準静的マルチビューディスプレイ」を、通常は時間の関数として、異なる固定マルチビュー画像間又は複数のマルチビュー画像の状態間で切り替えることができる静的マルチビューディスプレイと定義している。異なる固定マルチビュー画像又はマルチビュー画像の状態間で切り替えると、例えば初歩的なアニメーションが得られる。さらに、本明細書で定義しているように、準静的マルチビューディスプレイは、静的マルチビューディスプレイの一種である。したがって、適切に理解するためにそのような区別をする必要がない限り、純粋な静的マルチビューディスプレイ又は画像と準静的マルチビューディスプレイ又は画像とを全く区別していない。
【００１１】
また、本明細書では「カラー」マルチビュー画像を、特定の又は所定の色を有するマルチビュー画像と定義している。いくつかの実施形態では、所定の色を選択可能とすることができる。即ち、所定の色を動作中に選択してもよく、さらにこれを、時間の関数として変更可能とすることができる。例えば、第１の時間間隔中に、カラー・マルチビュー画像の色を第１の色として、又はこれが含まれるように選択してもよく、その一方で第２の時間間隔中に、カラー・マルチビュー画像の色を第２の色として、又はこれが含まれるように選択してもよい。色選択を、例えば色選択可能な又は色制御可能なマルチカラー光源（即ち、供給される光の色が制御可能なカラー光源である）によって実現してもよい。
【００１２】
図１Ａは、本明細書に記載の原理と一致する一実施形態による、一例におけるマルチビューディスプレイ１０の斜視図を示す。図１Ａに示すように、マルチビューディスプレイ１０は、マルチビュー画像１６内又はこれのビュー１４（又は等価的にマルチビューディスプレイ１０のビュー１４）にビューピクセルを表示するように構成された画面１２上に、回折格子を備える。マルチビュー画像１６は、選択可能色を有していてもよく、したがってこれを、例えばカラー・マルチビュー画像とすることができる。画面１２を、例えば自動車、電話（例えば、携帯電話、スマートフォンなど）、タブレットコンピュータ、ラップトップコンピュータ、デスクトップコンピュータのコンピュータモニタ、カメラ用ディスプレイ、又は実質的に他のあらゆる装置の電子ディスプレイのディスプレイ画面とすることができる。
【００１３】
マルチビューディスプレイ１０は、画面１２に対してさまざまな視線方向１８（即ち、さまざまな主要角度方向）で、マルチビュー画像１６のさまざまなビュー１４を供給している。これらの視線方向１８を、画面１２からさまざまな異なる主要角度方向に延在する矢印として示している。これらさまざまなビュー１４を、矢印の終端にある影付きの多角形状のボックスとして示している（即ち、視線方向１８を図示している）。したがって、マルチビューディスプレイ１０を（例えば、図１Ａに示すような）、ｙ軸を中心に回転させると、視認者はさまざまなビュー１４を視認することになる。一方、（図のように）図１Ａのマルチビューディスプレイ１０を、ｘ軸を中心に回転させると、（図のように）視認者の目に光が届かない状態になるまで表示画像が変化することはない。
【００１４】
さまざまなビュー１４が画面１２の上にあるように示しているが、マルチビュー画像１６をマルチビューディスプレイ１０に表示し、これを視認者が視認するとき、ビュー１４は実際は画面１２上又はその近傍に出現する。図１Ａのように画面１２の上方にマルチビュー画像１６のビュー１４を図示しているのは、説明を簡単にするためのみであり、また特定のビュー１４に対応する視線方向１８のそれぞれの方向からマルチビューディスプレイ１０を視認していることを表す意図がある。また、図１Ａでは、３つのビュー１４及び３つの視線方向１８のみを示しているが、これらはすべて例示であり、限定するものではない。
【００１５】
視線方向又はマルチビューディスプレイの視線方向に対応している方向を有する光ビームは、通常、本明細書の定義により、角度成分｛θ、φ｝が示す主要角度方向を有する。本明細書では、角度成分θを、光ビームの「仰角成分」又は「仰角」と呼んでいる。角度成分φを、光ビームの「方位角成分」又は「方位角」と呼んでいる。定義により、仰角θを垂直面内の角度（例えば、マルチビューディスプレイ画面の平面に垂直）とする一方、方位角φを水平面内の角度（例えば、マルチビューディスプレイ画面の平面に平行）としている。
【００１６】
図１Ｂは、本明細書に記載の原理と一致する一実施形態による、一例におけるマルチビューディスプレイの視線方向（例えば、図１Ａの視線方向１８）に対応する特定の主要角度方向を有する、光ビーム２０の角度成分｛θ、φ｝を表すグラフ表示を示す。
【００１７】
加えて、光ビーム２０を、本明細書の定義により、特定の地点から出射させるか、又は放射させている。即ち、定義により、光ビーム２０は、マルチビューディスプレイ内の特定の原点に関連付けられた中心光線を有する。図１Ｂは、光ビーム（又は視線方向）の原点Ｏをさらに示す。
【００１８】
また、本明細書では、「マルチビュー画像」や「マルチビューディスプレイ」という用語で使用している「マルチビュー」という用語を、さまざまな視野を表示するか、又は複数のビューのビュー間における角度視差を含む複数のビューと定義している。さらに、本明細書では、「マルチビュー」という用語は、本明細書の定義により、明示的に３つ以上の異なるビュー（即ち、最低３つのビュー、ひいては概ね４つ以上のビュー）を明示的に含む。したがって、本明細書で使用している「マルチビューディスプレイ」を、シーン又は画像を表示するために異なるビューを２つのみ含む立体ディスプレイと明確に区別している。ただし、マルチビュー画像及びマルチビューディスプレイは３つ以上のビューを含んでいる場合があるが、本明細書の定義により、一度に表示するマルチビュー表示を２つのみ選択して（例えば、片眼ごとに１つのビュー）、立体画像のペアとしてマルチビュー画像を表示してもよい（例えば、マルチビューディスプレイで）。
【００１９】
マルチビューディスプレイにおいて「マルチビューピクセル」を、本明細書では、マルチビューディスプレイにおける複数の同様のビューに個別にそれぞれピクセルを表示するビューピクセルのセット、又は複数のビューピクセルと定義している。同様に、マルチビューピクセルは、マルチビューディスプレイが表示するマルチビュー画像のさまざまなビューそれぞれにおいてピクセルに対応しているか、又は表示している個々のビューピクセルを有していてもよい。加えて、マルチビューピクセルのビューピクセルは、本明細書の定義により、ビューピクセルのそれぞれが、個々のビューにおいて対応する１つの所定の視線方向と関連付けられているということから、いわゆる「指向性ピクセル」である。さらに、さまざまな実施例及び実施形態によれば、マルチビューピクセルのビューピクセルが表示する個々のビューピクセルは、さまざまなビューそれぞれにおいて同等、又は少なくとも実質的に同様の位置若しくは座標を有していてもよい。例えば、第１のマルチビューピクセルは、マルチビュー画像のさまざまなビューそれぞれにおいて｛ｘ１、ｙ１｝に位置するビューピクセルに対応する個々のビューピクセルを有する一方、第２のマルチビューピクセルは、さまざまなビューそれぞれにおいて｛ｘ２、ｙ２｝に位置するビューピクセルに対応する個々のビューピクセルを有する、などとしていてもよい。特定の又は所定の（例えば、選択可能な）色を有するか、若しくは含むビューピクセルを、本明細書の定義により「カラー」ビューピクセルとしている。
【００２０】
いくつかの実施形態では、マルチビューピクセル内のビューピクセル（又はカラービューピクセル）の数は、マルチビューディスプレイのビューの数と等しくてもよい。例えば、マルチビューピクセルは、８つの異なるビューを有するマルチビューディスプレイと関連付けられた、８つのビューピクセルを供給してもよい。又は、マルチビューピクセルは、６４個の異なるビューを有するマルチビューディスプレイと関連付けられた、６４個のビューピクセルを供給してもよい。別の実施例では、マルチビューディスプレイは８×４のビューの配列（array）（即ち、３２ビュー）を供給することができ、その際、マルチビューピクセルは３２個のビューピクセル（即ち、各ビューに１つ）を含んでもよい。さらに、いくつかの実施形態によれば、マルチビューディスプレイのマルチビューピクセルの数は、マルチビューディスプレイにおいて選択されたビューを構成するピクセルの数と実質的に等しくてもよい。
【００２１】
本明細書では、「光ガイド」を、内部全反射を使用して構造体内の光を導波している、１つの構造体と定義している。具体的には、光ガイドは、光ガイドの動作波長において実質的に透過性であるコアを含んでいてもよい。さまざまな実施例では、「光ガイド」という用語は通常、内部全反射を使用して、光ガイドの誘電体材料と光ガイドを包囲している材料又は媒体との間の境界面において光を導波する、誘電体光導波路を指す。定義により、内部全反射の条件を、光ガイドの屈折率が、光ガイド材料の表面に隣接する周囲の媒体の屈折率よりも高いこととしている。いくつかの実施形態では、光ガイドは上記の屈折率差に加えて、又はその代わりにコーティングを含み、これにより内部全反射をさらに促進していてもよい。コーティングを、例えば反射コーティングとすることができる。光ガイドを、いくつかの光ガイド、例えば平板ガイド又はスラブガイド及びストリップガイドのうちの一方若しくは両方を含むが、これらに限定されないいくつかの光ガイドの任意のものとすることができる。
【００２２】
また、本明細書では、「平板光ガイド」のように光ガイドに適用する場合の「平板」という用語を、区分的又は個別的に平坦な層又はシートと定義しており、これを「スラブ」ガイドと呼ぶ場合もある。具体的には、平板光ガイドを、光ガイドの上面及び底面（即ち、対向面）が境界を示す、実質的に直交している２つの方向に光を導波するように構成された光ガイドと定義している。さらに、本明細書の定義により、これらの上面及び底面を両方とも互いから離隔しており、少なくとも個別的な意味で、これらを実質的に互いに対して平行とすることができる。即ち、平板光ガイドの個別的に小さな領域でも、これらの上面と底面とは実質的に平行であるか、又は同一平面上にある。
【００２３】
いくつかの実施形態では、平板光ガイドは実質的に平坦（即ち、平面の範囲内にある）であってもよく、したがって、平板光ガイドは平面光ガイドである。他の実施形態では、平板光ガイドは、１つ又は２つの直交次元で湾曲していてもよい。例えば、平板光ガイドを一次元で湾曲させて、円筒形状の平板光ガイドを形成してもよい。ただし、光を導波する平板光ガイド内で確実に内部全反射が維持されるのに十分な大きさとなるように、あらゆる湾曲の曲率半径を設定している。
【００２４】
本明細書では通常、「回折格子」を、自身に入射する光の回折をもたらすように配置された、複数の特徴部（即ち、回折特徴部）と定義している。いくつかの実施例では、これら複数の特徴部を、特徴部のペア間に１つ又はそれ以上の格子間隔を有するような、周期的若しくは準周期的な形式で配置してもよい。例えば、回折格子は、一次元（１Ｄ）配列に配置された複数の特徴部（例えば、材料表面上にある複数の溝又はリッジ）を含んでいてもよい。他の実施例では、回折格子を特徴部の二次元（２Ｄ）配列とすることができる。回折格子を、例えば材料表面上の隆起又は穴の２Ｄ配列とすることもできる。さまざまな実施形態及び実施例によれば、回折格子を、隣り合う回折特徴部間にあり、回折格子によって回折される光の約一波長分よりも短くなる格子間隔又は格子距離を有する、サブ波長格子とすることもできる。
【００２５】
したがって、本明細書の定義により、「回折格子」を、自身に入射する光の回折をもたらす構造体としている。光が光ガイドから回折格子へと入射する場合、そこでもたらされる回折又は回折散乱は、回折により、回折格子が光ガイドから光を外部に結合させることができるということから、その結果これを「回折結合」と呼ぶことがある。回折格子はまた、回折によって光の角度を転換又は変更している（即ち、回折角で）。具体的には、回折の結果として、回折格子から出射する光の伝搬方向は、通常、回折格子に入射する光（即ち、入射光）の伝搬方向とは異なるものとなる。回折によって光の伝搬方向が変化することを、本明細書では「回折的方向変更」と呼んでいる。したがって、回折格子を、自身に入射する光を回折的に方向変更する回折特徴部を含む構造体であると理解することができ、光が光ガイドから入射する場合、回折格子は、光ガイドからの光を回折的に外部に結合させることもできる。
【００２６】
また、本明細書の定義により、回折格子の特徴部を「回折特徴部」と呼んでおり、これらを材料表面（即ち、２つの材料間の境界）にあり、その内部にあり、かつその上にある特徴部のうちの１つ又はそれ以上とすることができる。表面を、例えば光ガイドの表面とすることができる。回折特徴部は、光を回折するさまざまな構造体、例えば当該表面にあるか、その内部にあるか、又はその上にある溝、リッジ、穴又は突起のうちの１つ又はそれ以上を含むが、これらに限定されない構造体のいずれかを含んでいてもよい。例えば、回折格子は、材料表面に複数の実質的に平行な溝を含んでいてもよい。別の実施例では、回折格子は、材料表面から隆起している複数の平行なリッジを含んでいてもよい。回折特徴部（例えば、溝、リッジ、穴、突起など）は、回折をもたらすさまざまな断面形状又はプロファイル、例えば正弦波プロファイル、長方形プロファイル（バイナリ回折格子など）、三角形プロファイル又は鋸歯状プロファイル（ブレーズド格子など）のうちの１つ又はそれ以上を含むが、これらに限定されない断面形状又はプロファイルのいずれかを有していてもよい。
【００２７】
以下にさらに記載しているように、本明細書の回折格子は、特徴部間隔又はピッチ、方位又はサイズ（回折格子の幅又は長さなど）のうちの１つ又はそれ以上を含む格子特性を有していてもよい。さらに、格子特性を、回折格子に対する光ビームの入射角、又は光源（例えば、マルチカラー光源）から回折格子までの距離、若しくはその両方の関数となるように選出又は選択してもよい。具体的には、いくつかの実施形態によれば、回折格子の格子特性を、光源の相対位置及び回折格子の位置に依存するように選択してもよい。回折格子の格子特性を適切に変更することにより、回折格子によって回折される（例えば、光ガイドから回折的に外部に結合される）光ビーム（即ち、「指向性光ビーム」）の強度及び主要角度方向の両方が、マルチビュー画像のビューピクセルの強度及び視線方向に対応するようにしている。
【００２８】
本明細書に記載のさまざまな実施例によれば、回折格子（例えば、以下に記載しているような、マルチビューピクセルの回折格子）を使用して、光ガイド（例えば、平板光ガイド）からの光を、光ビームとして回折的に外部に散乱又は結合させてもよい。具体的には、局所的に周期的な回折格子の回折角θｍ、又はこれによってもたらされる回折角θｍを、式（１）で次のように得ることができる。
【００２９】
【数１】
2020535474.tif 000003
【００３０】
ここで、λは光の波長であり、ｍは回折次数であり、ｎは光ガイドの屈折率であり、ｄは回折格子の特徴部間の距離又は間隔であり、θｉは回折格子に対する光の入射角である。説明を簡単にするために、式（１）は、回折格子が光ガイドの表面に隣接しており、光ガイドの外側の材料が有する屈折率が１に等しい（即ち、ｎ外側＝１）と仮定している。通常、回折次数ｍは整数で得られる。回折格子によって形成される光ビームの回折角θｍは、回折次数が正である式（１）（例えば、ｍ＞０）によって得ることができる。例えば、回折次数ｍが１に等しい（即ち、ｍ＝１）場合、一次回折がもたらされる。
【００３１】
図２は、本明細書に記載の原理と一致する一実施形態による、一例における回折格子３０の断面図を示す。例えば、回折格子３０を、光ガイド４０の表面に配置してもよい。加えて、図２は、入射角θｉで回折格子３０に入射する光ビーム（又は光ビームの集合体）５０を示している。光ビーム５０は、光ガイド４０内にある導波光ビームである。また、図２では、入射光ビーム２０を回折させた結果として、回折格子３０によって回折的に生成されて外部に結合される、外部結合光ビーム（又は光ビームの集合体）６０を示している。外部結合光ビーム６０は、式（１）によって得られる回折角θｍ（又は本明細書では「主要角度方向」）を有する。外部結合光ビーム６０は、例えば回折格子３０の回折次数「ｍ」に対応していてもよい。
【００３２】
さまざまな実施形態によれば、さまざまな光ビームの主要角度方向は、格子特性、例えば回折格子のサイズ（例えば、長さ、幅、面積など）、方位、及び特徴部間隔のうちの１つ又はそれ以上を含むが、これらに限定されない格子特性によって決まる。また、回折格子が生成する光ビームは、本明細書の定義により、図１Ｂに関連して上述したように、角度成分｛θ、φ｝によって得られる主要角度方向を有する。
【００３３】
本明細書では、「平行光」又は「平行光ビーム」を通常、光ビームの光線が光ビーム内で実質的に互いに平行である光ビーム（例えば、光ガイド内の導波光ビーム）と定義している。なお、平行光ビームから発散又は散乱する光線を、本明細書の定義により、平行光ビームの一部とは見なしていない。また、本明細書では「コリメータ」を、光を平行化するように構成された、実質的に任意の光学デバイス又は光学装置と定義している。
【００３４】
本明細書では「コリメーション係数」を、光の平行化の程度と定義している。具体的には、コリメーション係数は、本明細書の定義により、平行化された光ビーム内の光線の角度広がりを定義している。例えば、コリメーション係数σは、平行光のビーム内にある光線の大部分が、特定の角度広がり内にあること（例えば、平行光ビームの中心又は主要角度方向を中心に＋／−σ度）を示し得る。いくつかの実施例によれば、平行光ビームの光線は角度に関してガウス分布を有していてもよく、また角度広がりは、平行光ビームのピーク強度の２分の１によって求められる角度であってもよい。
【００３５】
本明細書では、「光源」を、光供給源（例えば、光を発生させて出射するように構成された発光体）と定義している。「マルチカラー光源」とは、選択可能色の出射光を有するか、又は含む光供給源である。例えば、光源は、作動させるか又はオンにすると光を出射する、発光ダイオード（ＬＥＤ）などの発光体を備えていてもよい。同様に、マルチカラー光源は、さまざまな色の出射光を選択可能なように供給する、色選択可能な、若しくは色可変の発光体又は複数の多色発光体を含んでいてもよい。例えば、マルチカラー光源は、作動させるとさまざまな色の光を出射する複数の多色ＬＥＤなどの、複数の多色発光体を含んでいてもよい。
【００３６】
具体的には本明細書では、マルチカラー光源は、実質的に任意の光供給源であるか、又は実質的に任意の発光体、例えば発光ダイオード（ＬＥＤ）、レーザ、有機発光ダイオード（ＯＬＥＤ）、ポリマー発光ダイオード、プラズマ式発光体、蛍光灯、白熱灯、又は色選択可能な状態にするか、又はそのように構成できる実質的に任意の他の光源のうちの１つ又はそれ以上を含むが、これらに限定されない実質的に任意の発光体を含んでいてもよい。マルチカラー光源が発生させる光は、複数の異なる色を有していてもよい（即ち、複数の異なる特定の光波長を含んでいてもよい）。いくつかの実施形態では、光源は、複数の多色発光体を含んでいてもよい。例えば、光源は、ある色又は等価的には波長を有する光を発光体の少なくとも１つが発生させる形態の、発光体のセット又はグループを含んでいてもよく、その色又は波長は、当該セット又はグループにおける少なくとも１つの他の発光体が発生させる光の色若しくは波長とは異なっている。これらの異なる色は、例えば原色（例えば、赤、緑、青）を含んでいてもよい。さらに、さまざまな実施形態によれば、さまざまな発光体が発生させるさまざまな色の光を組み合わせることにより、選択可能色を供給してもよい。
【００３７】
また、本明細書で使用する場合、冠詞「ａ（１つの）」は、当特許分野においてその通常の意味、即ち「１つ又はそれ以上」という意味を有することが意図される。例えば「回折格子」とは、１つ又はそれ以上の回折格子を意味し、したがって、「その回折格子」とは、本明細書では「１つ又はそれ以上の回折格子」を意味する。また、「上面（ｔｏｐ）」、「底面（ｂｏｔｔｏｍ）」、「上部の（ｕｐｐｅｒ）」、「下部の（ｌｏｗｅｒ）」、「上に（ｕｐ）」、「下に（ｄｏｗｎ）」、「前（ｆｒｏｎｔ）」、「後（ｂａｃｋ）」、「第１の（ｆｉｒｓｔ）」、「第２の（ｓｅｃｏｎｄ）」、「左（ｌｅｆｔ）」又は「「右（ｒｉｇｈｔ）」へのいずれの言及も、本明細書における限定を意図するものではない。本明細書では、「約（ａｂｏｕｔ）」という用語は、値に適用される場合、通常その値を生成するために使用される機器の許容誤差範囲内を意味するか、又は別段の明示的な指定がない限り、プラスマイナス１０％、プラスマイナス５％、若しくはプラスマイナス１％を意味してもよい。また、本明細書で使用する「実質的に（ｓｕｂｓｔａｎｔｉａｌｌｙ）」という用語は、過半数、又はほぼすべて、若しくはすべて、又は約５１％〜約１００％の範囲内の量を意味する。さらに、本明細書における実施例は、例示を意図するものにすぎず、解説の目的で示したもので、限定するものではない。
【００３８】
本明細書に記載の原理によるいくつかの実施形態によれば、マルチビュー画像、より具体的には静的カラー・マルチビュー画像を供給するように構成された、マルチビューディスプレイを提供する。図３Ａは、本明細書に記載の原理と一致する一実施形態による、一例におけるマルチカラー静的マルチビューディスプレイ１００の平面図を示す。図３Ｂは、本明細書に記載の原理と一致する一実施形態による、一例におけるマルチカラー静的マルチビューディスプレイ１００の一部を表す断面図を示す。具体的には、図３Ｂは、図３Ａのマルチカラー静的マルチビューディスプレイ１００の一部を通る断面を示しており、断面はｘ−ｚ平面にある。図３Ｃは、本明細書に記載の原理と一致する一実施形態による、一例におけるマルチカラー静的マルチビューディスプレイ１００の斜視図を示す。いくつかの実施形態によれば、単一カラーの静的マルチビュー画像を供給するように、図示しているマルチカラー静的マルチビューディスプレイ１００が構成されている一方、他の実施形態では、複数の静的カラー・マルチビュー画像を供給するように、マルチカラー静的マルチビューディスプレイ１００が構成されていてもよく、その結果、マルチカラー静的マルチビューディスプレイ１００は、カラー準静的マルチビューディスプレイ１００として機能している（又は、カラー準静的マルチビューディスプレイ１００である）。例えば、マルチカラー静的マルチビューディスプレイ１００は、以下に記載しているように、異なる固定カラー・マルチビュー画像間、又は等価的に複数のカラー・マルチビュー画像の状態間で、切り替え可能であってもよい。
【００３９】
複数の指向性光ビーム１０２を供給するように、図３Ａ〜図３Ｃに示すマルチカラー静的マルチビューディスプレイ１００が構成されており、これら複数の指向性光ビーム１０２のうちの指向性光ビーム１０２それぞれは、ある強度及び主要角度方向を有する。また、複数の指向性光ビーム１０２は選択可能色を有し、マルチカラー静的マルチビューディスプレイ１００が供給又は表示するように構成されているカラー・マルチビュー画像のビューのセットにおいて、さまざまなカラービューピクセルを表示している。いくつかの実施形態では、これらのカラービューピクセルをマルチビューピクセルに編成して、カラー・マルチビュー画像のさまざまな異なるビューを表示してもよい。さらに、これらのカラービューピクセルは色、より具体的にはマルチカラー静的マルチビューディスプレイ１００の選択可能色を含む。
【００４０】
図示のように、マルチカラー静的マルチビューディスプレイ１００は光ガイド１１０を備える。光ガイドを、例えば平板光ガイド（図示のような）とすることができる。光ガイド１１０の長さに沿って、光を導波光として、又はより具体的には導波光ビーム１１２として導波するように、光ガイド１１０が構成されている。例えば、光ガイド１１０は、光導波路として構成された誘電体材料を含んでいてもよい。誘電体材料は、誘電体光導波路を包囲している媒体の第２の屈折率よりも高い、第１の屈折率を有していてもよい。例えば、光ガイド１１０の１つ又はそれ以上の導波モードに従って、導波光ビーム１１２の内部全反射を促進するように、屈折率差が構成されている。
【００４１】
いくつかの実施形態では、光ガイド１１０を、光学的に透過性の誘電体材料からなる、延長された実質的に平面のシートを含む、スラブ又は平板光導波路とすることができる。内部全反射を使用して導波光ビーム１１２を導波するように、誘電体材料からなる実質的に平面のシートが構成されている。さまざま実施例によれば、光ガイド１１０の光学的に透過性の材料は、さまざまな誘電体材料、例えば、さまざまなタイプのガラス（例えば、石英ガラス、アルミノケイ酸アルカリガラス、ホウケイ酸ガラスなど）又は実質的に光学的に透過性のプラスチック若しくはポリマー（例えば、ポリ（メチルメタクリレート）又は「アクリルガラス」、ポリカーボネートなど）のうちの１つ又はそれ以上を含むが、これらに限定されないさまざまな誘電体材料のいずれかを含むか、又はそのいずれかで構成されていてもよい。いくつかの実施例では、光ガイド１１０は、光ガイド１１０の表面の少なくとも一部（例えば、上面及び底面の一方若しくは両方）に、クラッド層（図示せず）をさらに含んでいてもよい。いくつかの実施例によれば、クラッド層を使用して、内部全反射をさらに促進することができる。
【００４２】
さまざまな実施形態によれば、光ガイド１１０の第１の表面１１０’（例えば、「前」面）と第２の表面１１０’’「（例えば、「後」面又は「下」面）との間において、非ゼロの伝搬角度で内部全反射に従って導波光ビーム１１２を導波するように、光ガイド１１０が構成されている。具体的には、導波光ビーム１１２は非ゼロの伝搬角度で、光ガイド１１０の第１の表面１１０’と第２の表面１１０’’との間で反射するか、又は「跳ね返る」ことによって伝搬している。なお、図示を簡単にするために、図３Ｂでは非ゼロの伝搬角度を明示的に図示していない。ただし、図３Ｂでは、光ガイド長さに沿った導波光ビーム１１２の一般的伝搬方向１０３を示す図の平面を指している、１つの矢印を示している。
【００４３】
本明細書で定義しているように、「非ゼロの伝搬角度」とは、光ガイド１１０の表面（例えば、第１の表面１１０’又は第２の表面１１０’’）に対する角度のことである。また、さまざま実施形態によれば、非ゼロの伝搬角度はゼロよりも大きく、かつ光ガイド１１０内の内部全反射の臨界角よりも小さい。例えば、導波光ビーム１１２における非ゼロの伝搬角度を、約１０度〜約５０度、又はいくつかの実施例では約２０度〜約４０度、若しくは約２５度〜約３５度とすることができる。例えば、非ゼロの伝搬角度を約３０度とすることができる。他の実施例では、非ゼロの伝搬角度を約２０度、又は約２５度、若しくは約３５度とすることができる。さらに、特定の非ゼロの伝搬角度を、光ガイド１１０内の内部全反射の臨界角よりも小さくなるように選択する限り、特定の実装に対して特定の非ゼロの伝搬角度を選択してもよい（例えば、任意に）。
【００４４】
図３Ａ及び図３Ｃに示すように、マルチカラー静的マルチビューディスプレイ１００は、マルチカラー光源１２０をさらに備える。光ガイド１１０上の入力位置１１６に、マルチカラー光源１２０を配置している。例えば、図示しているように、マルチカラー光源１２０を、光ガイド１１０の端部又は側部１１４に隣接配置してもよい。複数の導波光ビーム１１２として光を光ガイド１１０内に供給するように、マルチカラー光源１２０が構成されている。これら複数の導波光ビーム１１２は、選択可能色の光、又は単に「選択可能色」を含む。さらに、マルチカラー光源１２０は、複数の導波光ビームにおける個々の導波光ビーム１１２の半径方向１１８が互いに異なったものとなるように、光を供給している。
【００４５】
具体的には、マルチカラー光源１２０が出射する光が光ガイド１１０に進入し、また入力位置１１６から離隔し、かつ光ガイド１１０の長さにわたって、又はその長さに沿って、放射状に複数の導波光ビーム１１２として伝搬するように、構成されている。また、複数の導波光ビームにおける個々の導波光ビーム１１２の半径方向は、入力位置１１６から離隔して放射状に伝搬することから、互いに異なったものとなる。例えば、マルチカラー光源１２０を、側部１１４に突き合わせ結合してもよい。マルチカラー光源１２０がように突き合わせ結合されていることにより、光が扇状に導入されるように促進することができ、その結果、例えば個々の導波光ビーム１１２の半径方向がそれぞれ異なったものとなる。いくつかの実施形態によれば、さまざまな半径方向１１８に沿って導波光ビーム１１２が伝搬するように（即ち、複数の導波光ビーム１１２として）、マルチカラー光源１２０を入力位置１１６における「点」光源とすることができるし、少なくともこれに近似させることもできる。
【００４６】
いくつかの実施形態では、マルチカラー光源１２０の入力位置１１６は、光ガイド１１０の側部１１４上において、その中心又は中央近傍若しくは付近にある。具体的には、図３Ａ及び図３Ｃにおいて、光ガイド１１０の側部１１４（即ち「入力側」）のほぼ中心（例えば、その中央）にある入力位置１１６に、マルチカラー光源１２０を図示している。代替として（図示せず）、入力位置１１６を、光ガイド１１０の側部１１４の中央から離隔させてもよい。例えば、入力位置１１６を光ガイド１１０の角部に設定してもよい。例えば、光ガイド１１０の形状を長方形（例えば、図示のような）とすることができ、また、マルチカラー光源１２０の入力位置１１６を、長方形の光ガイド１１０の角部（例えば、入力側１１４の角部）に設定してもよい。
【００４７】
さまざまな実施形態では、マルチカラー光源１２０は、選択可能色の光、例えば１つ又はそれ以上の発光ダイオード（ＬＥＤ）若しくはレーザ（例えば、レーザダイオード）を含むが、これらに限定されない選択可能色の光を供給するように構成された、実質的に任意の光源（例えば、発光体）を含んでいてもよい。いくつかの実施形態では、マルチカラー光源１２０は、特定の色（例えば、第１の色）が示す狭帯域スペクトルを有する、実質的に単色の光を発生させるように構成された発光体を含んでいてもよい。具体的には、単色の光が有する色を、特定の色空間又はカラーモデル（例えば、ＲＧＢカラーモデル）の原色とすることができる。したがって、マルチカラー光源１２０は、異なる色の、実質的に単色の光を発生させ、その結果、例えば選択可能色の光が出射されるように促進することができる、複数の多色発光体を含んでいてもよい。他の実施例では、マルチカラー光源１２０を、選択可能な出力色を含む、実質的に広帯域又は多色の光を供給するように構成された、実質的に広帯域の光源とすることができる。例えば、マルチカラー光源１２０は白色光を供給してもよく、その白色光の帯域を、選択可能色の光（又は選択可能色）が供給されるように選択してもよい。例えばマルチカラー光源１２０に制御入力することによって、選択可能色を選択してもよい。別の実施例では、マルチカラー光源１２０の出力部にある可変カラーフィルタによって、色選択を行ってもよい。
【００４８】
上述のように、マルチカラー光源１２０は、さまざまな色の光を供給するように構成された、複数のカラー発光体を含んでいてもよい。さまざまな色の光のそれぞれに対応する導波光において、それぞれ異なる、色別かつ非ゼロの伝搬角度を有する光を供給するように、個々の発光体が構成されていてもよい。さらに、いくつかの実施形態では、さまざまな色の光が有する第１の色（例えば、赤）を供給するように構成された、複数の発光体のうちの発光体それぞれを、さまざまな色の光が有する第２の又は別の色（例えば、緑又は青）を供給するように構成された発光体と、マルチカラー光源１２０内で交互に配置するか、若しくは点在させてもよい。例えば、これら複数のカラー発光体は、赤色発光ダイオード、緑色発光ダイオード、及び青色発光ダイオードを含んでいてもよい。したがって、選択可能色が赤色光、緑色光及び青色光を選択可能に組み合わせたものとして供給されるように、さまざまな色の光を赤色光、緑色光、及び青色光とすることができる。選択可能に色を組み合わせる場合、例えば赤色発光ダイオード、緑色発光ダイオード、及び青色発光ダイオードの相対発光強度によってこれを制御してもよい。さらに、本実施例では、赤色発光ダイオード、緑色発光ダイオード、及び青色発光ダイオードを、マルチカラー光源１２０の範囲又は幅にわたって互いに交互に配置するか、又は互いに点在させてもよい。
【００４９】
図４Ａは、本明細書に記載の原理と一致する一実施形態による、一例におけるマルチカラー光源１２０を備えるマルチカラー静的マルチビューディスプレイ１００の一部を表す平面図を示す。図４Ｂは、本明細書に記載の原理と一致する一実施形態による、一例におけるマルチカラー光源１２０の断面図を示す。具体的には、図４Ａは、マルチカラー静的マルチビューディスプレイ１００の光ガイド１１０の側部１１４に突き合わせ結合された、マルチカラー光源１２０を示す。さまざまなタイプの矢印（実線、長破線、及び破線）は、マルチカラー光源１２０が発生させる導波光ビーム１１２内のさまざまな色の光を表す。図示のように、さまざまな色が組み合わさって、選択可能色の導波光ビーム１１２を供給している。
【００５０】
図４Ｂに示すマルチカラー光源１２０は、さまざまな色の光を供給するように構成された、複数のカラー発光体１２２を含む。図示のように、カラー発光体１２２はさらに、第１の色の光（例えば、赤色光）を供給するように構成された第１の発光体１２２’、第２の色の光（例えば、緑色光）を供給するように構成された第２の発光体１２２’’、及び第３の色の光（例えば、青色光）を供給するように構成された第３の発光体１２２’’’を含む。例えば、複数のカラー発光体１２２は、複数の多色発光ダイオード（ＬＥＤ）を含んでいてもよい。例えば、第１の発光体１２２’を赤色ＬＥＤとし、第２の発光体１２２’’を緑色ＬＥＤとし、また第３の発光体１２２’’’を青色ＬＥＤとすることができる。さらに、図示のように、第１の発光体１２２’、第２の発光体１２２’’、及び第３の発光体１２２’’’を、マルチカラー光源１２０の範囲Ｗ内で交互に配置している。即ち、図示のように、第１、第２及び第３の発光体１２２’、１２２’’、１２２’’’は、マルチカラー光源の範囲Ｗ内に収まるほど小さく、さらに範囲Ｗにわたって互いと交互になっている。さまざまな色を有するカラー発光体１２２を交互に配置することにより、例えば、発生するさまざまな色の光を組み合わせるか、又は「融合する」ことが容易になり得る。また、交互に配置することにより、実質的に同じ伝搬方向（即ち、図４Ａに示すように、導波光ビーム１１２の共通の方向）を有する導波光ビーム１１２内に、さまざまな色の光線が発生する結果ともなり得る。なお、いくつかの実施形態によれば、範囲Ｗを選択して、カラービューピクセルの角度広がりを求めるか、又はこれを制御するために使用してもよい。
【００５１】
いくつかの実施形態では、マルチカラー光源１２０からの光を光ガイド１１０内に結合することにより発生する選択可能色を含む、又は有する導波光ビーム１１２を平行化せず、若しくは少なくとも実質的に平行化しなくてもよい。他の実施形態では、導波光ビーム１１２を平行化してもよい（即ち、導波光ビーム１１２を平行光ビームとすることができる）。そのため、いくつかの実施形態では、マルチカラー静的マルチビューディスプレイ１００は、マルチカラー光源１２０と光ガイド１１０との間にコリメータ（図示せず）を備えていてもよい。又は、マルチカラー光源１２０がコリメータをさらに備えていてもよい。平行化される導波光ビーム１１２を光ガイド１１０内に供給するように、コリメータが構成されている。具体的には、マルチカラー光源１２０の１つ又はそれ以上の発光体から実質的に平行化されていない光を受け取り、実質的に平行化されていない光を平行光へと変換するように、コリメータが構成されている。いくつかの実施例では、導波光ビーム１１２の伝搬方向に実質的に垂直な平面（例えば、「垂直」平面）に平行化をもたらすように、コリメータが構成されていてもよい。即ち、平行化は、例えば光ガイド１１０の表面（例えば、第１又は第２の表面１１０’、１１０’’）に垂直な平面内に、比較的狭い角度広がりを有する平行化された導波光ビーム１１２をもたらし得る。さまざまな実施形態によれば、コリメータはさまざまなコリメータ、一例としてレンズ、反射体若しくはミラー（例えば、傾斜平行反射体）、又は例えば、マルチカラー光源１２０からの光を平行化するように構成された回折格子（例えば、回折格子ベースの筒状コリメータ）を含むが、これらに限定されないさまざまなコリメータのいずれかを含んでいてもよい。
【００５２】
さらに、いくつかの実施形態では、コリメータは、非ゼロの伝搬角度を有するか、及び所定のコリメーション係数に従って平行化されるかの一方若しくは両方の状態となる、平行光を供給してもよい。さらに、多色発光体を使用する場合、それぞれ異なる、色別かつ非ゼロの伝搬角度を有するか、及びそれぞれ異なる色別コリメーション係数を有するかの一方若しくは両方の状態となる平行光を供給するように、コリメータが構成されていてもよい。いくつかの実施形態では、平行光を光ガイド１１０に伝達し、これを導波光ビーム１１２として伝搬させるように、コリメータが構成されている。
【００５３】
いくつかの実施形態では、平行光又は非平行光を使用することにより、マルチカラー静的マルチビューディスプレイ１００が供給し得るカラー・マルチビュー画像に影響が及ぶ可能性がある。例えば、選択可能色を含むか、又は有する導波光ビーム１１２が光ガイド１１０内で平行化される場合、選択可能色を含むか、又は有する出射された指向性光ビーム１０２は、直交している少なくとも２つの方向において、比較的狭いか、又は非常に小さい角度広がりを有し得る。したがって、マルチカラー静的マルチビューディスプレイ１００は、２つの異なる方向（例えば、ｘ方向及びｙ方向）を有する配列で複数の異なるビューを有する、カラー・マルチビュー画像を供給することができる。ただし、導波光ビーム１１２が実質的に平行化されていない場合、カラー・マルチビュー画像は視差をもたらし得るが、異なるビューによる完全な二次元配列をもたらさない可能性がある。具体的には、導波光ビーム１１２が平行化されていない場合（例えば、ｚ軸に沿って）、カラー・マルチビュー画像は、ｙ軸を中心に回転したときに「視差３Ｄ」を呈する多色マルチビュー画像を供給し得る（例えば、図１Ａに示すように）。一方、マルチカラー静的マルチビューディスプレイ１００が、例えばｘ軸を中心に回転するとき、複数の指向性光ビームにおける指向性光ビーム１０２それぞれがｙ−ｚ平面内に広い角度広がりを有することから、カラー・マルチビュー画像及びビューは実質的に不変のままとなるか、又は同じままとなり得る。したがって、供給されるカラー・マルチビュー画像は、２方向ではなく１方向のみのビューの配列をもたらす「視差のみ」である可能性がある。
【００５４】
再度図３Ａ〜図３Ｃを参照すると、図示しているマルチカラー静的マルチビューディスプレイ１００は、複数の指向性光ビームのうちの指向性光ビーム１０２それぞれを出射するように構成された、複数の回折格子１３０をさらに備える。上述のように、かつさまざまな実施形態によれば、複数の回折格子１３０が出射する指向性光ビーム１０２は、カラー・マルチビュー画像を表示することができる。具体的には、情報、例えば３Ｄコンテンツを有する情報を表示するカラー・マルチビュー画像を作成するように、複数の回折格子１３０が出射する指向性光ビーム１０２が構成されていてもよい。また、回折格子１３０は、以下にさらに記載しているように、マルチカラー光源１２０が光ガイド１１０を側部１１４から照明するとき、選択可能色を含む指向性光ビーム１０２を出射することができる。
【００５５】
さまざまな実施形態によれば、複数の導波光ビームのうちの１つの導波光ビーム１１２の一部から、複数の指向性光ビームのうちの１つの指向性光ビーム１０２を供給するように、複数の回折格子のうちの１つの回折格子１３０が構成されている。さらに、カラー・マルチビュー画像のカラービューピクセルが有する強度及び視線方向に対応する強度及び主要角度方向の両方を有する、指向性光ビーム１０２を供給するように、回折格子１３０が構成されている。いくつかの実施形態では、複数の回折格子のうちの回折格子１３０それぞれは通常、いくつかの実施形態によれば、互いに交差せず、重なり合わず、また互いに接触しない。即ち、さまざまな実施形態によれば、複数の回折格子のうちの回折格子１３０それぞれは、通常別個であり、回折格子１３０のうちの他の格子から離隔されている。
【００５６】
図３Ｂに示すように、指向性光ビーム１０２は少なくとも部分的に、光ガイド１１０内における導波光ビーム１１２の平均又は一般的伝搬方向１０３とは異なる方向であり、いくつかの実施形態では伝搬方向に直交している方向に伝搬してもよい。いくつかの実施形態によれば、例えば図３Ｂに示すように、回折格子１３０からの指向性光ビーム１０２は、実質的にｘ−ｚ平面の範囲内にあり得る。
【００５７】
さまざまな実施形態によれば、複数の回折格子のうちの回折格子１３０それぞれは、関連する格子特性を有する。回折格子それぞれが有する関連する格子特性は、マルチカラー光源１２０から回折格子に入射する導波光ビーム１１２の半径方向１１８に依存するか、これによって定義されるか、又はその関数である。また、いくつかの実施形態では、関連する格子特性は、回折格子１３０とマルチカラー光源１２０の入力位置１１６との間の距離によってさらに決まるか、又は定義されている。例えば、図３Ａに示すように、関連する特性を、回折格子１３０ａと入力位置１１６との間の距離Ｄと、回折格子１３０ａに入射する導波光ビーム１１２の半径方向１１８ａとの関数とすることができる。換言すれば、複数の回折格子１３０のうちの１つの回折格子１３０が有する関連する格子特性は、光源の入力位置１１６と、入力位置１１６に対する光ガイド１１０表面上における回折格子１３０の特定の位置とに依存している。
【００５８】
図３Ａは、異なる空間座標（ｘ１、ｙ１）及び（ｘ２、ｙ２）を有する２つの異なる回折格子１３０ａ並びに１３０ｂを示し、これらの回折格子は、回折格子１３０に入射するマルチカラー光源１２０からの複数の導波光ビーム１１２が有する、半径方向１１８ａ及び１１８ｂの差を補償するか、又はこれに対応する個々の格子特性をさらに有する。同様に、これら２つの異なる回折格子１３０ａ及び１３０ｂの個々の格子特性は、異なる空間座標（ｘ１、ｙ１）及び（ｘ２、ｙ２）によって決まる光源入力位置１１６からそれぞれの回折格子１３０ａ、１３０ｂまでの距離の差に対応している。
【００５９】
図３Ｃは、マルチカラー静的マルチビューディスプレイ１００が供給し得る複数の指向性光ビーム１０２の例を示す。具体的には、図示のように、複数の回折格子のうちの回折格子１３０の個々のセットが、互いに異なる主要角度方向を有する指向性光ビーム１０２を出射している様子を示している。さまざまな実施形態によれば、個々の主要角度方向は、マルチカラー静的マルチビューディスプレイ１００の個々の視線方向に対応していてもよい。例えば、回折格子１３０の第１のセットは、入射導波光ビーム１１２（破線で図示）の一部を回折的に外部に結合させて、マルチカラー静的マルチビューディスプレイ１００の第１の視線方向（又は第１のビュー）に対応する第１の主要角度方向を有する、指向性光ビーム１０２の第１のセットを供給してもよい。同様に、マルチカラー静的マルチビューディスプレイ１００における第２の視線方向（又は第２のビュー）及び第３の視線方向（又は第３のビュー）それぞれに対応する主要角度方向を有する、指向性光ビーム１０２’’の第２のセット並びに指向性光ビーム１０２’’’の第３のセットを、図示のように、回折格子１３０の第２のセット及び第３のセットなどのそれぞれが、入射導波光ビーム１１２の一部を回折的に外部に結合させることによって供給してもよい。図３Ｃには、マルチビューディスプレイ１００が供給し得るカラー・マルチビュー画像１６の第１のビュー１４’、第２のビュー１４’’、及び第３のビュー１４’’’も示してある。図示している第１、第２、及び第３のビュー１４’、１４’’、１４’’’は、オブジェクトのさまざまな斜視図を表し、また、集合的には表示しているカラー・マルチビュー画像１６である（例えば、図１Ａに示すカラー・マルチビュー画像１６に相当する）。
【００６０】
通常、回折格子１３０の格子特性は、回折格子の回折特徴部間隔又はピッチ、格子方位及び格子サイズ（若しくは範囲）のうちの１つ又はそれ以上を含み得る。また、いくつかの実施形態では、回折格子の結合効率（回折格子面積、溝の深さ、又はリッジの高さなど）を、入力位置１１６から回折格子までの距離の関数とすることができる。例えば、放射状広がり及び他の損失係数に関連している導波光ビーム１１２の強度の全般的な低下を補正又は補償するために、部分的に距離の関数として増加するように、回折格子の結合効率が構成されていてもよい。したがって、いくつかの実施形態によれば、回折格子１３０によってもたらされ、該当するビューピクセルの強度に対応している指向性光ビーム１０２の強度は、回折格子１３０の回折結合効率によって部分的に決まる可能性がある。
【００６１】
図５は、本明細書に記載の原理と一致する一実施形態による、一例におけるマルチカラー静的マルチビューディスプレイ１００の平面図を示す。図５には、光ガイド１１０の側部１１４にあるマルチカラー光源１２０の入力位置１１６からの距離Ｄである、角度間隔内の照明体積１３４を示している。なお、複数の光ビーム１１２による伝搬の半径方向角度がｙ軸から離隔してｘ軸に向かって変化するにつれて、照明体積の角度サイズは拡大していく。例えば、図示のように、照明体積１３４ｂは照明体積１３４ａよりも広い。
【００６２】
再度図３Ｂを参照すると、図示のように、光ガイド１１０の光ビーム出射面である光ガイド１１０の第１の表面１１０’に、複数の回折格子１３０を配置してもよいし、隣接配置してもよい。例えば、回折格子１３０を、第１の表面１１０’を介して、導波光部分を指向性光ビーム１０２として回折的に外部に結合させるように構成された、透過モードの回折格子とすることができる。又は、光ガイド１１０の光ビーム出射面（即ち、第１の表面１１０’）とは反対側の第２の表面１１０’’に、複数の回折格子１３０を配置してもよいし、隣接配置してもよい。具体的には、回折格子１３０を反射モードの回折格子とすることができる。反射モードの回折格子として、導波光部分を回折し、かつ回折された導波光部分を第１の表面１１０’に向かって反射させることで、導波光部分が回折的に外部に散乱するか、又は外部に結合される指向性光ビーム１０２として、第１の表面１１０’から退出するように、回折格子１３０が構成されている。他の実施形態（図示せず）では、回折格子１３０を、例えば透過モードの回折格子及び反射モードの回折格子の一方若しくは両方として、光ガイド１１０の表面間に配置していてもよい。
【００６３】
本明細書に記載のいくつかの実施形態では、指向性光ビーム１０２の主要角度方向は、指向性光ビーム１０２が光ガイド表面において光ガイド１１０を退出することから生じる屈折効果を含み得る。例えば、一例として示すのであって、限定するものではないが、回折格子１３０を第２の表面１１０’’に配置するか、又は隣接配置する場合、指向性光ビーム１０２が第１の表面１１０’を横切るときの屈折率に変化が生じるため、指向性光ビーム１０２は屈折（即ち、屈曲する）し得る。
【００６４】
いくつかの実施形態によれば、マルチカラー静的マルチビューディスプレイ１００は、互いから横方向にオフセットさせた複数のマルチカラー光源１２０を備えていてもよい。これら複数の光源のうちのマルチカラー光源１２０それぞれを横方向にオフセットさせることにより、個々の回折格子１３０で、又は個々の回折格子１３０の間で、さまざまな導波光ビーム１０２の半径方向に差が生じ得る。いくつかの実施形態によれば、この差により、今度は表示されるカラー・マルチビュー画像のアニメーション表示が容易になり得る。したがって、いくつかの実施形態では、マルチカラー静的マルチビューディスプレイ１００を、準マルチカラー静的マルチビューディスプレイ１００とすることができる。
【００６５】
図６Ａは、本明細書に記載の原理と一致する一実施形態による、一例におけるマルチカラー静的マルチビューディスプレイ１００の平面図を示す。図６Ｂは、本明細書に記載の原理と一致する一実施形態による、別の例における図６Ａのマルチカラー静的マルチビューディスプレイ１００を表す平面図を示す。図６Ａ及び図６Ｂに示すマルチカラー静的マルチビューディスプレイ１００は、複数の回折格子１３０を含む光ガイド１１０を備える。加えて、マルチカラー静的マルチビューディスプレイ１００は、図示のように、互いから横方向にオフセットされ、かつそれらの半径方向１１８が互いに異なっている導波光ビーム１１２を別々に供給するように構成された、複数のマルチカラー光源１２０をさらに備える。
【００６６】
具体的には、図６Ａ及び図６Ｂは、光ガイド１１０の側部１１４の第１の入力位置１１６ａにある第１のマルチカラー光源１２０ａと、第２の入力位置１１６ｂにある第２のマルチカラー光源１２０ｂとを示している。これら第１及び第２の入力位置１１６ａ、１１６ｂを、側部１１４に沿って（即ち、ｘ方向に）互いから横方向にオフセット又は変位させることにより、第１及び第２のマルチカラー光源１２０ａ、１２０ｂをそれぞれ横方向にオフセットさせている。また、複数のマルチカラー光源１２０のうちの第１及び第２のマルチカラー光源１２０ａ、１２０ｂはそれぞれ、選択可能色を含み、かつそれぞれの半径方向が互いに異なっている複数の異なる導波光ビーム１１２を供給している。例えば、図６Ａ及び図６Ｂにそれぞれ示すように、第１のマルチカラー光源１２０ａは、さまざまな半径方向１１８ａの第１のセットを有する複数の第１の導波光ビーム１１２ａを供給し、第２のマルチカラー光源１２０ｂは、さまざまな半径方向１１８ｂの第２のセットを有する複数の第２の導波光ビーム１１２ｂを供給してもよい。さらに、図示のように、第１及び第２の複数の導波光ビーム１１２ａ、１１２ｂは通常、さまざまな半径方向１１８ａ、１１８ｂのセットを有しており、これらの半径方向１１８ａ、１１８ｂのセットはまた、第１及び第２のマルチカラー光源１２０ａ、１２０ｂを横方向にオフセットさせていることから、セットとして互いに異なっている。
【００６７】
そのため、複数の回折格子１３０は、視空間内で互いから変位される（例えば、視空間内で角度変位される）、多色マルチビュー画像を表示する指向性光ビームを出射している。したがって、第１及び第２のマルチカラー光源１２０ａ、１２０ｂ間で切り替えることにより、マルチカラー静的マルチビューディスプレイ１００は、時系列アニメーションなどのカラー・マルチビュー画像による「アニメーション」を供給することができる。具体的には、さまざまな連続時間間隔又は連続時間中に第１及び第２のマルチカラー光源１２０ａ、１２０ｂを連続的に照明することにより、例えば、異なる時間中にカラー・マルチビュー画像の見かけ上の位置を変位させるように、マルチカラー静的マルチビューディスプレイ１００が構成されていてもよい。いくつかの実施形態によれば、このようなアニメーションによって見かけ上の位置を変位させることにより、マルチカラー静的マルチビューディスプレイ１００を準マルチカラー静的マルチビューディスプレイ１００として動作させ、その結果、複数のカラー・マルチビュー画像の状態を表示する例を示すことができる。
【００６８】
また、さまざま実施形態によれば、第１のマルチカラー光源１２０ａが供給し得る選択可能色を、第２のマルチカラー光源１２０ｂが供給し得る選択可能色と同じ色又は異なる色とすることができる。そのため、「アニメーション」は、時間の関数として（例えば、特定のカラー・マルチビュー画像で）、又はカラー・マルチビュー画像の状態の関数として、カラー・マルチビュー画像に生じる色の変化を含み得る。
【００６９】
さまざまな実施形態によれば、図３Ａ〜図３Ｃに関して上述したように、回折を使用して（例えば、回折散乱又は回折結合によって）、マルチカラー静的マルチビューディスプレイ１００の指向性光ビーム１０２を出射させている。いくつかの実施形態では、複数の回折格子１３０をマルチビューピクセルとして編成していてもよく、これらのマルチビューピクセルはそれぞれ、複数の回折格子からの１つ又はそれ以上の回折格子１３０を含む、回折格子１３０のセットを備える。また、上述したように、１又はそれ以上の回折格子１３０は、光ガイド１１０上の半径方向位置の関数であるとともに、１又はそれ以上の回折格子１３０が出射する指向性光ビーム１０２の強度及び方向の関数である回折特性を有する。
【００７０】
図７Ａは、本明細書に記載の原理と一致する一実施形態による、一例におけるマルチビューディスプレイの回折格子１３０の平面図を示す。図７Ｂは、本明細書に記載の原理と一致する別の実施形態による、一例においてマルチビューピクセル１４０として編成された回折格子１３０のセットの平面図を示す。図７Ａ及び図７Ｂに示すように、回折格子１３０はそれぞれ、回折特徴部間隔（「格子間隔」と呼ばれることもある）又は格子ピッチに従って互いから離隔した、複数の回折特徴部を含む。光ガイド内から導波光部分を回折的に外部に結合又は散乱させるように、回折特徴部間隔又は格子ピッチが構成されている。図７Ａ〜図７Ｂでは、マルチビューディスプレイ（例えば、図３Ａ〜図３Ｃに示すマルチカラー静的マルチビューディスプレイ１００）の光ガイド１１０の表面上に、回折格子１３０を配置している。
【００７１】
さまざまな実施形態によれば、回折格子１３０内の回折特徴部の間隔又は格子ピッチを、サブ波長（即ち、導波光ビーム１１２の波長未満）とすることができる。なお、図７Ａ及び図７Ｂでは、図示を簡単にするために、単一又は均一の格子間隔（即ち、一定の格子ピッチ）を有する回折格子１３０を示している。さまざまな実施形態では、回折格子１３０は、以下に記載しているように、複数の異なる格子間隔（例えば、２つ又はそれ以上の格子間隔）又は可変の回折特徴部間隔若しくは格子ピッチを含み、これにより、例えば図３Ａ〜図６Ｂに多様に示すそのままの状態で、指向性光ビーム１０２を供給することができる。したがって、図７Ａ及び図７Ｂには、単一の格子ピッチが回折格子１３０の唯一の実施形態であることを示唆する意図はない。
【００７２】
いくつかの実施形態によれば、回折格子１３０の回折特徴部は、互いから離隔した溝及びリッジの一方若しくは両方を含んでいてもよい。これらの溝又はリッジは光ガイド１１０の材料を含んでいてもよく、例えば、これらの溝又はリッジを、光ガイド１１０の表面に形成してもよい。別の実施例では、これらの溝又はリッジを、光ガイドの材料以外の材料、例えば、光ガイド１１０の表面上にある別の材料のフィルム又は層から形成してもよい。
【００７３】
上述したように、また図７Ａに示すように、回折特徴部の構成は、回折格子１３０の格子特性を含む。例えば、回折格子１３０が供給する指向性光ビーム１０２の強度を決定するように、回折格子の格子深さが構成されていてもよい。代替的に又は付加的に、また上述し、かつ図７Ａ〜図７Ｂに示したように、格子特性は、回折格子１３０の格子ピッチ及び格子方位（例えば、図７Ａに示す格子方位γ）の一方若しくは両方を含む。導波光ビームの入射角とともに、これらの格子特性により、回折格子１３０が供給する指向性光ビーム１０２の主要角度方向が決まる。
【００７４】
いくつかの実施形態（図示せず）では、指向性光ビームを供給するように構成された回折格子１３０は、格子特性として可変回折格子又はチャープ回折格子を含む。定義により、「チャープ」回折格子は、自身の範囲又は長さにわたって変化する、回折特徴部の回折間隔（即ち、格子ピッチ）を呈するか、又は有する回折格子である。いくつかの実施形態では、チャープ回折格子は、距離とともに線形に変化する回折特徴部間隔のチャープを有するか、又は呈する場合がある。したがって、チャープ回折格子は、定義により「線形チャープ」回折格子となる。他の実施形態では、マルチビューピクセルのチャープ回折格子は、回折特徴部間隔の非線形チャープを呈する場合がある。さまざまな非線形チャープ、例えば指数チャープ、対数チャープ、又は別の、実質的に不均一又はランダムであるにもかかわらず、依然として単調に変化するチャープを含むが、これらに限定されない、さまざまな非線形チャープを使用してもよい。非単調チャープ、例えば正弦波チャープ又は三角チャープ若しくは鋸歯状チャープなどの非単調チャープも使用することができるが、これらに限定されない。このようなタイプのチャープのいずれかを組み合わせたものを、同様に使用することができる。
【００７５】
他の実施形態では、指向性光ビーム１０２を供給するように構成された回折格子１３０は、複数の回折格子（例えば、サブ格子）であるか、又はこれを含む。例えば、回折格子１３０のうちの複数の回折格子は、指向性光ビーム１０２の赤色部分を供給するように構成された、第１の回折格子を含んでいてもよい。さらに、回折格子１３０のうちの複数の回折格子は、指向性光ビーム１０２の緑色部分を供給するように構成された、第２の回折格子を含んでいてもよい。またさらに、回折格子１３０のうちの複数の回折格子は、指向性光ビーム１０２の青色部分を供給するように構成された、第３の回折格子を含んでいてもよい。いくつかの実施形態では、複数の回折格子のうちの個々の回折格子を、互いに重ね合わせていてもよい。他の実施形態では、これらの回折格子を、例えば１つの配列として互いに隣接配置された、別個の回折格子とすることができる。
【００７６】
マルチカラー静的マルチビューディスプレイ１００は、より全般的には、それぞれが複数の回折格子１３０からの回折格子１３０のセットを含む、マルチビューピクセル１４０の１つ又はそれ以上のインスタンスを備えていてもよい。図７Ｂに示すように、マルチビューピクセル１４０を構成している当該セットのうちの回折格子１３０は、個々の格子特性を有していてもよい。マルチビューピクセルの回折格子１３０は、例えば個々の格子方位を有していてもよい。具体的には、マルチビューピクセル１４０の回折格子１３０は、カラー・マルチビュー画像において対応するビューのセットによって決まるか、又は決定付けられる、個々の格子特性を有していてもよい。例えば、マルチビューピクセル１４０は、マルチカラー静的マルチビューディスプレイ１００の８つの異なるビューに順に対応している、８つの回折格子１３０のセットを含んでいてもよい。さらに、マルチカラー静的マルチビューディスプレイ１００は、複数のマルチビューピクセル１４０を備えていてもよい。例えば、回折格子１３０のセットを含む複数のマルチビューピクセル１４０を設けていてもよく、これらのマルチビューピクセル１４０はそれぞれ、８つの異なるビューそれぞれにおける２０４８×１０２４ピクセルの個々のものに対応している。
【００７７】
いくつかの実施形態では、マルチカラー静的マルチビューディスプレイ１００を透過性とするか、又は実質的に透過性とすることができる。具体的には、いくつかの実施形態では、光ガイド１１０及びそれぞれから離隔された複数の回折格子１３０により、第１の表面１１０’及び第２の表面１１０’’の両方に直交している方向に、光が光ガイド１１０を通過することができる。したがって、複数の導波光ビームのうちの導波光ビーム１１２それぞれの一般的伝搬方向１０３に直交している方向に伝搬する光を、光ガイド１１０、より全般的にはマルチカラー静的マルチビューディスプレイ１００に透過させることができる。さらに、回折格子１３０が実質的に透過性であることにより、少なくとも部分的にこうした透過を促進することができる。
【００７８】
本明細書に記載の原理によるいくつかの実施形態によれば、マルチビューディスプレイを提供する。自身が供給する複数の指向性光ビームを出射するように、マルチビューディスプレイが構成されている。また、こうして出射された指向性光ビームを、マルチビューディスプレイの１つ又はそれ以上のマルチビューピクセルに含まれる複数の回折格子の格子特性に基づいて、マルチビューディスプレイの複数の視線領域に優先的に指向させてもよい。さらに、これらの回折格子は、指向性光ビームのさまざまな主要角度方向を形成してもよく、これらの主要角度方向は、本マルチカラー・マルチビューディスプレイのカラー・マルチビュー画像のビューのセットにおいて、さまざまなビューの個々の視線方向に対応している。いくつかの実施例では、カラー３Ｄ画像又はマルチビュー画像を供給若しくは「表示」するように、本マルチカラー・マルチビューディスプレイが構成されている。さまざまな実施例によれば、指向性光ビームの個々のビームは、カラー・マルチビュー画像と関連付けられたさまざまな「ビュー」の個々のビューピクセルに対応していてもよい。これらのさまざまなビューは、例えば本マルチカラー・マルチビューディスプレイが表示するカラー・マルチビュー画像において、情報の「メガネなし」（例えば、自動立体）表示を実現することができる。
【００７９】
図８は、本明細書に記載の原理と一致する一実施形態による、一例におけるマルチカラー静的マルチビューディスプレイ２００のブロック図を示す。さまざまな実施形態によれば、さまざまな視線方向の個々のビューに従って、カラー・マルチビュー画像を表示するように、マルチカラー静的マルチビューディスプレイ２００が構成されている。具体的には、マルチカラー静的マルチビューディスプレイ２００が出射する複数の指向性光ビーム２０２を使用して、カラー・マルチビュー画像を表示しており、これらの指向性光ビーム２０２は、さまざまなビューのカラーピクセル（即ち、カラービューピクセル）に対応していてもよい。指向性光ビーム２０２を、図８の１つ又はそれ以上のマルチビューピクセル２１０から発する矢印として示している。図８には、マルチカラー静的マルチビューディスプレイ２００が供給し得るカラー・マルチビュー画像１６の第１のビュー１４’、第２のビュー１４’’、及び第３のビュー１４’’’をさらに示している。
【００８０】
なお、マルチビューピクセル２１０のうちの１つと関連付けられた指向性光ビーム２０２は、静的又は準静的（即ち、能動的に変調されていない）のいずれかである。一方で、マルチビューピクセル２１０は、照明されているときに指向性光ビーム２０２を供給し、照明されていないときは指向性光ビーム２０２を供給しない。また、さまざまな実施形態によれば、このように供給される指向性光ビーム２０２の強度は、これらの指向性光ビーム２０２の方向とともに、マルチカラー静的マルチビューディスプレイ２００が表示するカラー・マルチビュー画像１６のピクセルを定義している一方、指向性光ビーム２０２の色は、マルチカラー静的マルチビューディスプレイ２００の選択可能色によって決まる。さまざまな実施形態によれば、カラー・マルチビュー画像１６内で表示されるビュー１４’、１４’’、１４’’’を、静的又は準静的とすることができる。
【００８１】
図８に示すマルチカラー静的マルチビューディスプレイ２００は、マルチビューピクセル２１０の配列を備える。マルチカラー静的マルチビューディスプレイ２００の複数の異なるビューを供給するように、当該配列のマルチビューピクセル２１０が構成されている。さまざまな実施形態によれば、当該配列のマルチビューピクセル２１０は、複数の指向性光ビーム２０２を回折的に外部に結合させるか、又は出射するように構成された、複数の回折格子２１２を含む。複数の指向性光ビーム２０２は、マルチカラー静的マルチビューディスプレイ２００のビューのセットにおいて、さまざまなビューの個々の視線方向に対応している主要角度方向を有していてもよい。さらに、回折格子２１２に対する入射光ビームの半径方向、又は入射光ビームを供給している光源までの距離、若しくはその両方に基づいて、回折格子２１２の格子特性を変更又は選択してもよい。いくつかの実施形態では、回折格子２１２及びマルチビューピクセル２１０をそれぞれ、上述のマルチカラー静的マルチビューディスプレイ１００の回折格子１３０及びマルチビューピクセル１４０と、それぞれ実質的に同様とすることができる。
【００８２】
図８に示すように、マルチカラー静的マルチビューディスプレイ２００は、光を導波するように構成された光ガイド２２０をさらに備える。いくつかの実施形態では、光ガイド２２０を、マルチカラー静的マルチビューディスプレイ１００に関連して上述した光ガイド１１０と実質的に同様とすることができる。さまざまな実施形態によれば、マルチビューピクセル２１０、又はより具体的には、さまざまなマルチビューピクセル２１０の回折格子２１２が、光ガイド２２０からの導波光（又は図示のように、等価的には「導波光ビーム２０４」）の一部を、複数の指向性光ビーム２０２として外部に散乱又は結合させるように（即ち、導波光を、上述の入射光ビームとすることができる）、構成されている。具体的には、マルチビューピクセル２１０を光ガイド２２０に光学的に接続して、回折散乱又は回折結合により、導波光（即ち、導波光ビーム２０４）の一部を外部に散乱又は結合させている。
【００８３】
さまざまな実施形態では、回折格子２１２に対する入射導波光ビーム２０４の半径方向、又は導波光ビーム２０４を供給している光源との距離、若しくはその両方に基づいて、回折格子２１２の格子特性を変更している。このようにして、マルチビューピクセル内の個々の回折格子２１２からの指向性光ビーム２０２を、マルチカラー静的マルチビューディスプレイ２００が供給するカラー・マルチビュー画像のビューのピクセルに対応させていてもよい。
【００８４】
図８に示すマルチカラー静的マルチビューディスプレイ２００は、マルチカラー光源２３０をさらに備える。光ガイド１１０に光を供給するように、マルチカラー光源２３０が構成されていてもよい。具体的には、このように供給される光（例えば、図８のマルチカラー光源２３０から発する矢印で示している）は、複数の導波光ビーム２０４として光ガイド１１０によって導波されている。さまざまな実施形態によれば、複数の導波光ビームのうちの導波光ビーム２０４それぞれは、選択可能色（即ち、マルチカラー静的マルチビューディスプレイ２００の選択可能色）を含み、またそれらの半径方向は、光ガイド２２０内で互いに異なっている。いくつかの実施形態では、導波光ビーム２０４は非ゼロの伝搬角度を備え、またいくつかの実施形態では、例えば光ガイド２２０内に導波光ビーム２０４の所定の角度広がりをもたらす、コリメーション係数を有する。いくつかの実施形態によれば、マルチカラー光源２３０を、上述のようなマルチカラー静的マルチビューディスプレイ１００の１つ又はそれ以上のマルチカラー光源１２０の１つと実質的に同様とすることができる。例えば、マルチカラー光源２３０を、光ガイド２２０の入力端部に突き合わせ結合してもよい。マルチカラー光源２３０は扇状又は放射状に光を放射し、これによって半径方向が異なる複数の導波光ビーム２０４を供給することができる。さらに、マルチカラー光源２３０は、マルチカラー光源内で互いに交互に配置された、複数の多色発光体を含んでいてもよい。ここでの選択可能色を、例えば、複数の多色発光体が供給するさまざまな色の光を組み合わせたものとすることができる。
【００８５】
本明細書に記載の原理による他の実施形態によれば、マルチカラー静的マルチビューディスプレイの動作方法を提供する。図９は、本明細書に記載の原理と一致する一実施形態による、一例におけるマルチカラー静的マルチビューディスプレイの動作方法３００を表すフローチャートを示す。さまざまな実施形態によれば、マルチカラー静的マルチビューディスプレイの動作方法３００を使用して、静的カラー・マルチビュー画像の表示及び準静的カラー・マルチビュー画像の表示の一方若しくは両方を実現することができる。
【００８６】
図９に示すように、マルチカラー静的マルチビューディスプレイの動作方法３００は、選択可能色を含む複数の導波光ビームとして、光ガイドに沿って光を導波するステップ３１０を含み、これら複数の導波光ビームのうちの導波光ビームそれぞれは共通原点を有し、またそれらの半径方向は互いに異なっている。具体的には、複数の導波光ビームのうちの導波光ビームそれぞれは、定義により、選択可能色を有する。加えて、導波光ビームによる伝搬の半径方向は、定義により、複数の導波光ビームにおける別の導波光ビームによる伝搬の半径方向とは異なっている。また、複数の導波光ビームのうちの導波光ビームそれぞれは、定義により、共通原点を有する。いくつかの実施形態では、原点を、仮想原点（例えば、導波光ビームにおける実際の原点の外側にある点）とすることができる。例えば、原点を光ガイドの外側に設け、これにより仮想原点としてもよい。いくつかの実施形態によれば、ステップ３１０で光が導波される際に沿う光ガイドと、内部に導波される選択可能色を含む導波光ビームとを、マルチカラー静的マルチビューディスプレイ１００に関連して上述した、光ガイド１１０及び導波光ビーム１１２と実質的に同様とすることができる。
【００８７】
図９に示すマルチカラー静的マルチビューディスプレイの動作方法３００は、複数の回折格子を使用して、カラー・マルチビュー画像を表示する複数の指向性光ビームを出射するステップ３２０をさらに含む。さまざまな実施形態によれば、複数の回折格子のうちの１つの回折格子は、複数の導波光ビームからの光を、複数の指向性光ビームのうちの１つの指向性光ビームとして回折的に外部に結合又は散乱させている。また、結合又は散乱される指向性光ビームは、カラー・マルチビュー画像において対応するビューピクセルの強度及び主要角度方向の両方を有する。具体的には、出射するステップ３２０によって発生する複数の指向性光ビームは、カラー・マルチビュー画像のビューのセットにおいて、さまざまなビューピクセルに対応している主要角度方向を有していてもよい。さらに、複数の指向性光ビームのうちの指向性光ビームそれぞれの強度を、カラー・マルチビュー画像のさまざまなビューピクセルの強度に対応させていてもよい。いくつかの実施形態では、回折格子のそれぞれは、単一の主要角度方向に単一の指向性光ビームを発生させ、またカラー・マルチビュー画像の１つのビューにおいて、特定のビューピクセルに対応している単一の強度を有する。指向性光ビームの色は、選択可能色によって決まる。いくつかの実施形態では、回折格子は複数の回折格子（例えば、サブ格子）を含む。さらにいくつかの実施形態では、回折格子のセットを、マルチカラー静的マルチビューディスプレイのマルチビューピクセルとして配置していてもよい。
【００８８】
さまざまな実施形態では、ステップ３２０で出射された指向性光ビームの強度及び主要角度方向を、回折格子の格子特性によって制御しており、格子特性は、共通原点に対する回折格子の位置（即ち、これの関数とする）に基づいている。具体的には、回折格子に対する入射導波光ビームの半径方向、又は回折格子から、導波光ビームを供給しているマルチカラー光源までの距離、若しくはその両方に基づいて複数の回折格子の格子特性を変更してもよいし、又は等価的にこれらをその関数としてもよい。
【００８９】
いくつかの実施形態によれば、これら複数の回折格子を、上述のマルチカラー静的マルチビューディスプレイ１００における複数の回折格子１３０と実質的に同様とすることができる。また、いくつかの実施形態では、ステップ３２０で出射された複数の指向性光ビームを、やはり上述した複数の指向性光ビーム１０２と実質的に同様とすることができる。例えば、主要角度方向を制御している格子特性は、回折格子の格子ピッチ及び格子方位の一方若しくは両方を含んでいてもよい。さらに、回折格子によってもたらされ、該当するビューピクセルの強度に対応している指向性光ビームの強度は、回折格子の回折結合効率によって決まる可能性がある。即ち、強度を制御している格子特性は、いくつかの実施例では、回折格子の格子深さ、又は格子サイズなどを含んでいてもよい。
【００９０】
図示のように、マルチカラー静的マルチビューディスプレイの動作方法３００は、マルチカラー光源を使用して、複数の導波光ビームとして導波される光を供給するステップ３３０をさらに含む。具体的には、マルチカラー光源を使用して、選択可能色を含み、かつ複数の異なる伝搬の半径方向を有する導波光ビームとして、光を光ガイドに供給している。さまざまな実施形態によれば、光を供給するステップ３３０で使用するマルチカラー光源を、光ガイドの側部に配置しており、マルチカラー光源の位置を、複数の導波光ビームの共通原点としている。いくつかの実施形態では、マルチカラー光源を、上述のマルチカラー静的マルチビューディスプレイ１００の１つ又はそれ以上のマルチカラー光源１２０と実質的に同様とすることができる。
【００９１】
具体的には、マルチカラー光源を、光ガイドの端部又は側部に突き合わせ結合してもよい。また、いくつかの実施形態では、マルチカラー光源を、共通原点を表す点光源に近似させていてもよい。さらに、いくつかの実施形態では、マルチカラー光源を使用して、複数の導波光ビームとして光を導波供給するステップ３３０は、マルチカラー光源内で互いに交互に配置された、複数の多色発光体を含む。
【００９２】
いくつかの実施形態（図示せず）では、マルチカラー静的マルチビューディスプレイの動作方法３００は、選択可能色を生成するために、複数の多色発光体がステップ３３０で供給する色の光を組み合わせるステップをさらに含む。このような色の光は、赤色光、青色光及び緑色光を含んでいてもよい。このように色を組み合わせることで生成される選択可能色を、実質的に任意の色（例えば、ＲＧＢカラーモデルによる）とすることができる。
【００９３】
いくつかの実施形態（図示せず）では、マルチカラー静的マルチビューディスプレイの動作方法３００は、第１の時間中に複数の第１の導波光ビームを導波し、第２の期間における第２の時間中に複数の第２の導波光ビームを導波することにより、カラー・マルチビュー画像をアニメーション表示するステップをさらに含む。複数の第１の導波光ビームにおける共通原点は、複数の第２の導波光ビームにおける共通原点とは異なっていてもよい。例えば光源は、一例として、上述のようにアニメーション表示するように構成された、横方向にオフセットさせた複数の光源を含んでいてもよい。いくつかの実施形態によれば、こうしたアニメーション表示は、第１及び第２の時間中に、カラー・マルチビュー画像の見かけ上の位置を変位させることを含んでいてもよい。いくつかの実施形態では、アニメーション表示の一部又はすべてを表示中に、所定のさまざまな色の間で選択可能色を変更してもよい。
【００９４】
よって、ここまで半径方向が互いに異なる導波光ビームから、静的カラー又は準静的カラー・マルチビュー画像を表示する複数の指向性光ビームを供給するように構成された回折格子を有する、マルチカラー静的マルチビューディスプレイ及びマルチカラー静的マルチビューディスプレイの動作方法に関する実施例並びに実施形態について説明した。上記の例は、本明細書に記載の原理を表す多くの特定の実施例のうちのいくつかを、単に例示するものであることを理解すべきである。当業者であれば、添付の特許請求の範囲によって定義されている範囲から逸脱することなく、他の数多くの構成を容易に考案できることは明らかである。
【図１Ａ】
2020535474.tif 000004
【図１Ｂ】
2020535474.tif 000005
【図２】
2020535474.tif 000006
【図３Ａ】
2020535474.tif 000007
【図３Ｂ】
2020535474.tif 000008
【図３Ｃ】
2020535474.tif 000009
【図４Ａ】
2020535474.tif 000010
【図４Ｂ】
2020535474.tif 000011
【図５】
2020535474.tif 000012
【図６Ａ】
2020535474.tif 000013
【図６Ｂ】
2020535474.tif 000014
【図７Ａ】
2020535474.tif 000015
【図７Ｂ】
2020535474.tif 000016
【図８】
2020535474.tif 000017
【図９】
2020535474.tif 000018
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
光ビームを導波するように構成された光ガイドと、
前記光ガイド上の入力位置にあるマルチカラー光源であって、前記マルチカラー光源が、選択可能色を含み、かつそれぞれの半径方向が互いに異なっている複数の導波光ビームを、前記光ガイド内に供給するように構成されている、マルチカラー光源と、
カラー静的マルチビュー画像を表示する指向性光ビームを出射するように構成された複数の回折格子であって、前記回折格子がそれぞれ、複数の前記導波光ビームのうちの１つの導波光ビームの一部から、前記静的カラー・マルチビュー画像のカラービューピクセルに対応している色、強度及び主要角度方向を有する指向性光ビームを供給するように構成されている、回折格子と
を備える、マルチカラー静的マルチビューディスプレイ。
【請求項２】
前記マルチカラー光源の前記入力位置が、前記光ガイドの側部上において、その中心付近にある、請求項１に記載のマルチカラー静的マルチビューディスプレイ。
【請求項３】
前記マルチカラー光源が、さまざまな色の光を供給するように構成された複数のカラー発光体を含み、前記さまざまな色の光が有する第１の色を供給するように構成された、複数の前記カラー発光体のうちのカラー発光体それぞれを、前記さまざまな色の光が有する第２の色を供給するように構成された前記複数のカラー発光体のカラー発光体（color optical emitters）と、前記マルチカラー光源の範囲内で交互に配置しており、また、前記選択可能色が、前記さまざまな色の光を組み合わせたものを含む、請求項１に記載のマルチカラー静的マルチビューディスプレイ。
【請求項４】
前記複数のカラー発光体が、赤色発光ダイオード、緑色発光ダイオード、及び青色発光ダイオードを含み、前記さまざまな色の光を赤色光、緑色光、及び青色光としており、
前記選択可能色が、赤色発光ダイオード、緑色発光ダイオード、及び青色発光ダイオードの相対発光強度によって制御される赤色光、緑色光及び青色光を組み合わせたものである、請求項３に記載のマルチカラー静的マルチビューディスプレイ。
【請求項５】
前記回折格子の格子特性が、前記指向性光ビームの前記強度及び前記主要角度方向を決定するように構成されており、前記格子特性が、前記光ガイドの表面上における前記回折格子の位置と、前記光ガイドの側部にある前記マルチカラー光源の前記入力位置との両方の関数である、請求項１に記載のマルチカラー静的マルチビューディスプレイ。
【請求項６】
前記格子特性が、前記回折格子の格子ピッチ及び前記回折格子の格子方位の一方若しくは両方を含み、前記回折格子が供給する前記指向性光ビームの前記主要角度方向を決定するように、前記格子特性が構成されている、請求項５に記載のマルチカラー静的マルチビューディスプレイ。
【請求項７】
前記格子特性が、前記回折格子が供給する前記指向性光ビームの前記強度を決定するように構成された格子深さを含む、請求項５に記載のマルチカラー静的マルチビューディスプレイ。
【請求項８】
前記光ガイドの光ビーム出射面とは反対側の前記光ガイドの表面に、前記複数の回折格子を配置している、請求項１に記載のマルチカラー静的マルチビューディスプレイ。
【請求項９】
前記光源と前記光ガイドとの間にコリメータをさらに備え、前記コリメータが、前記光源が出射する光を平行化するように構成されており、前記複数の導波光ビームが平行光ビームを含む、請求項１に記載のマルチカラー静的マルチビューディスプレイ。
【請求項１０】
前記光ガイド上の横方向にオフセットさせた別の入力位置に別のマルチカラー光源をさらに備え、前記別のマルチカラー光源が、複数の別の導波光ビームを供給するように構成されており、前記複数の導波光ビーム及び前記複数の別の導波光ビームの半径方向が互いに異なっており、前記マルチカラー光源及び前記別のマルチカラー光源間で切り替えが、静的カラー・マルチビュー画像をアニメーション表示するように構成されており、前記マルチカラー静的マルチビューディスプレイを、準マルチカラー静的マルチビューディスプレイとしている、請求項１に記載のマルチカラー静的マルチビューディスプレイ。
【請求項１１】
前記光ガイドが、前記光ガイド内で前記複数の導波光ビームのうちの１つの導波光ビームの伝搬方向に直交している方向に伝搬する光に対して透過性である、請求項１に記載のマルチカラー静的マルチビューディスプレイ。
【請求項１２】
平板光ガイドと、
選択可能色を含み、かつそれぞれの半径方向が互いに異なっている複数の導波光ビームを前記平板光ガイド内に供給するように構成されたマルチカラー光源と、
静的カラー・マルチビュー画像の複数の異なるビューを供給するように構成されたマルチビューピクセルの配列であって、マルチビューピクセルが、前記複数の導波光ビームからの光を回折的に外部に結合させて、前記マルチビューピクセルのカラービューピクセルを表示する指向性光ビームを供給するように構成された複数の回折格子を含む、マルチビューピクセルの配列と
を備え、
前記複数の回折格子のうちの１つの回折格子が供給する指向性光ビームの主要角度方向を、格子特性の関数としており、前記格子特性を、前記回折格子及び前記光源の相対位置の関数としており、また、前記指向性光ビームの色が、前記選択可能色によって決まる、
マルチカラー静的マルチビューディスプレイ。
【請求項１３】
前記マルチカラー光源が、前記マルチカラー光源内で互いに交互に配置された複数の多色発光体を含み、前記選択可能色を、前記複数の多色発光体が供給するさまざまな色の光を組み合わせたものとしている、請求項１２に記載のマルチカラー静的マルチビューディスプレイ。
【請求項１４】
前記格子特性が、前記回折格子の格子ピッチ及び格子方位の一方若しくは両方を含む、請求項１２に記載のマルチカラー静的マルチビューディスプレイ。
【請求項１５】
前記回折格子によってもたらされ、該当するビューピクセルの強度に対応している前記指向性光ビームの強度が、前記回折格子の回折結合効率によって決まる、請求項１２に記載のマルチカラー静的マルチビューディスプレイ。
【請求項１６】
前記光ガイドが、前記光ガイド内で前記複数の導波光ビームのうちの１つの導波光ビームの伝搬方向に直交している方向に透過性である、請求項１２に記載のマルチカラー静的マルチビューディスプレイ。
【請求項１７】
マルチカラー静的マルチビューディスプレイの動作方法であって、前記方法が、
選択可能色を含む複数の導波光ビームを光ガイド内に導波するステップであって、前記複数の導波光ビームのうちの導波光ビームそれぞれが共通原点を有し、またそれらの半径方向が互いに異なっている、ステップと、
複数の回折格子を使用して、静的カラー・マルチビュー画像を表示する複数の指向性光ビームを出射するステップであって、前記複数の回折格子のうちの１つの回折格子が、前記複数の導波光ビームからの光を、前記静的カラー・マルチビュー画像の該当するビューピクセルの強度及び主要角度方向を有する、前記複数の指向性光ビームのうちの１つの指向性光ビームとして回折的に外部に結合させている、ステップとを含み、
前記出射された指向性光ビームの前記強度及び主要角度方向を、前記回折格子の格子特性によって制御しており、前記格子特性が、前記共通原点に対する前記回折格子の位置に基づいており、また、前記指向性光ビームの色が、前記選択可能色によって決まる、
方法。
【請求項１８】
マルチカラー光源内で互いに交互に配置された、複数の多色発光体を含む前記マルチカラー光源を使用して、前記複数の導波光ビームとして導波される光を供給するステップをさらに含み、前記マルチカラー光源を、前記光ガイドの側部に配置しており、前記マルチカラー光源の位置を、前記複数の導波光ビームの前記共通原点としている、請求項１７に記載のマルチカラー静的マルチビューディスプレイの動作方法。
【請求項１９】
前記選択可能色を生成するために、前記複数の多色発光体が供給する色の光を組み合わせるステップをさらに含み、前記色の光は、赤色光、青色光及び緑色光を含む、請求項１８に記載のマルチカラー静的マルチビューディスプレイの動作方法。
【請求項２０】
第１の時間中に複数の第１の導波光ビームを導波し、第２の時間中に複数の第２の導波光ビームを導波することにより、静的カラー・マルチビュー画像をアニメーション表示するステップをさらに含み、前記複数の第１の導波光ビームにおける共通原点は、前記複数の第２の導波光ビームにおける共通原点とは異なっており、また、前記アニメーション表示は、前記第１及び第２の時間中に、前記静的カラー・マルチビュー画像の見かけ上の位置を変位させることを含む、請求項１７に記載のマルチカラー静的マルチビューディスプレイの動作方法。
【手続補正２】
【補正対象書類名】明細書
【補正対象項目名】００６１
【補正方法】変更
【補正の内容】
【００６１】
図５は、本明細書に記載の原理と一致する一実施形態による、一例におけるマルチカラー静的マルチビューディスプレイ１００の平面図を示す。図５には、光ガイド１１０の側部１１４にあるマルチカラー光源１２０の入力位置１１６からの距離Ｄである、角度間隔内の照明体積１３４を示している。なお、複数の導波光ビーム１１２による伝搬の半径方向角度がｙ軸から離隔してｘ軸に向かって変化するにつれて、照明体積の角度サイズは拡大していく。例えば、図示のように、照明体積１３４ｂは照明体積１３４ａよりも広い。
【国際調査報告】
2020535474.tif 000019
2020535474.tif 000020